(57)【要約】      （修正有）【課題】熟練を要することなく、安全に、容易に、且つ綺麗に、直方体状の紙容器を展開処理することが可能な紙容器解体器を提供する。【解決手段】中空部に内容物を収納する略直方体状の紙容器を切断して平面状に展開処理するための紙容器解体器であって、前記紙容器の開口部から前記紙容器内部に内接して挿入可能な角筒状の紙容器解体器本体３１と、外側で略直角に当接する２面を有する紙容器切断部材３２とを備え、紙容器解体器本体３１の２つの側面が当接する部分を構成する４辺のうち１辺の稜線部分に溝が形成された側面溝部３１３と、紙容器解体器本体３１の一方の端部を構成する４辺のうち３辺の稜線部分に連続して溝が形成された底面溝部とを有し、紙容器切断部材３２が、紙容器切断部材３２の前記２面が当接する部分を構成する辺から突出して設置され、前記辺に沿う方向に刃先が形成された切刃を有する。【選択図】図１８
0003198934.tif 000002
【実用新案登録請求の範囲】
【請求項１】
中空部に内容物を収納する略直方体状の紙容器を切断して平面状に展開処理するための紙容器解体器であって、
前記紙容器の開口部から前記紙容器内部に内接して挿入可能な角筒状の紙容器解体器本体と、
外側で略直角に当接する２面を有する紙容器切断部材と、
を備え、
前記紙容器解体器本体は、
前記紙容器解体器本体の２つの側面が当接する部分を構成する４辺のうち１辺の稜線部分に溝が形成された側面溝部と、
前記紙容器解体器本体の一方の端部を構成する４辺のうち３辺の稜線部分に連続して溝が形成された底面溝部と、
を有し、
前記紙容器切断部材は、
前記紙容器切断部材の前記２面が当接する部分を構成する辺から突出して設置され、前記辺に沿う方向に刃先が形成された切刃、
を有する、
ことを特徴とする紙容器解体器。
【請求項２】
前記切刃は、前記紙容器切断部材に脱着可能に設置されることを特徴とする請求項１に記載の紙容器解体器。
【請求項３】
前記切刃は、押圧力に対して反発力を有するバネ部材を介して前記紙容器切断部材に設置され、前記押圧力により前記辺から突出することを特徴とする請求項１又は２に記載の紙容器解体器。
【請求項４】
前記紙容器解体器本体は、４枚の板材で角筒状を構成し、展開して１枚の板状となることを特徴とする請求項１乃至３の何れか１項に記載の紙容器解体器。
【考案の詳細な説明】
【技術分野】
【０００１】
本考案は、牛乳パック等の紙容器を切断して平面状に展開処理するための紙容器解体器に関する。
【背景技術】
【０００２】
従来、食品分野の製品に使用する容器においては、環境保護等の観点から、使用済みの容器を回収して再利用することが提案されている。容器の回収に際しては、回収時に嵩張ることがないようにするため、容器を解体することを求められることがある。例えば、直方体状の牛乳パックやジュース用紙パック等の紙容器を回収する場合、紙容器を切断して平面状に展開処理する必要がある。
【０００３】
紙容器の展開処理には、紙容器の開口部を完全に開けて水洗いし、汎用のカッターナイフ、ハサミ等の刃物を用いて切り開く必要がある。また、直方体状の紙容器の稜線に沿う方向に移動させることができるカッターを設けて、紙容器を構成する面を稜線に沿って切断できるようにした切断処理器が提案されている（例えば、特許文献１参照。）。
【先行技術文献】
【特許文献】
【０００４】
【特許文献１】特開平５−２１２６９４号公報
【考案の概要】
【考案が解決しようとする課題】
【０００５】
しかしながら、カッターナイフやハサミ等は、直方体状の牛乳パックやジュース用紙パック等の紙容器を、安全に、且つ容易に、しかも稜線に沿って直線的に綺麗に展開処理することが困難である、という問題点があった。
【０００６】
また、特許文献１に開示されているような切断処理器は、カッターが紙容器の稜線から少し離れた位置を切断するため、稜線に沿って綺麗に展開処理することが困難であり、コ字状の拡開部材を用いた場合であっても、拡開部材が内接しない面が不安定であるため、安全に、且つ容易に、しかも稜線に沿って直線的に綺麗に展開処理することが困難である、という問題点があった。
【０００７】
１つの側面において、本考案は、熟練を要することなく、安全に、容易に、且つ綺麗に、直方体状の紙容器を展開処理することが可能な紙容器解体器を提供することを目的とする。
【課題を解決するための手段】
【０００８】
本考案は、上記課題を解決するため、下記のような構成を採用した。
すなわち、本考案の一態様によれば、本考案の紙容器解体器は、中空部に内容物を収納する略直方体状の紙容器を切断して平面状に展開処理するための紙容器解体器であって、前記紙容器の開口部から前記紙容器内部に内接して挿入可能な角筒状の紙容器解体器本体と、外側で略直角に当接する２面を有する紙容器切断部材とを備え、前記紙容器解体器本体が、前記紙容器解体器本体の２つの側面が当接する部分を構成する４辺のうち１辺の稜線部分に溝が形成された側面溝部と、前記紙容器解体器本体の一方の端部を構成する４辺のうち３辺の稜線部分に連続して溝が形成された底面溝部とを有し、前記紙容器切断部材が、前記紙容器切断部材の前記２面が当接する部分を構成する辺から突出して設置され、前記辺に沿う方向に刃先が形成された切刃を有することを特徴とする。
【０００９】
また、本考案の紙容器解体器は、前記切刃が、前記紙容器切断部材に脱着可能に設置されることが望ましい。
また、本考案の紙容器解体器は、前記切刃が、押圧力に対して反発力を有するバネ部材を介して前記紙容器切断部材に設置され、前記押圧力により前記辺から突出することが望ましい。
【００１０】
また、本考案の紙容器解体器は、前記紙容器解体器本体が、４枚の板材で角筒状を構成し、展開して１枚の板状となることが望ましい。
【考案の効果】
【００１１】
実施の形態によれば、熟練を要することなく、安全に、容易に、且つ綺麗に、直方体状の紙容器の開口した上部端縁から底部近傍まで、紙容器の側部を一稜線に沿って直線的に切断し、更に底部側の３つの側面を直線的に切断することで、直方体状の紙容器を展開処理することができる。
【図面の簡単な説明】
【００１２】
【図１】実施の形態の紙容器解体器を構成する紙容器解体器本体の斜視図である。
【図２】実施の形態の紙容器解体器を構成する紙容器解体器本体の正面図である。
【図３】実施の形態の紙容器解体器を構成する紙容器解体器本体の背面図である。
【図４】実施の形態の紙容器解体器を構成する紙容器解体器本体の右側面図である。
【図５】実施の形態の紙容器解体器を構成する紙容器解体器本体の左側面図である。
【図６】実施の形態の紙容器解体器を構成する紙容器解体器本体の平面図である。
【図７】実施の形態の紙容器解体器を構成する紙容器解体器本体の底面図である。
【図８】実施の形態の紙容器解体器を構成する紙容器切断部材の斜視図である。
【図９】実施の形態の紙容器解体器を構成する紙容器切断部材の正面図である。
【図１０】実施の形態の紙容器解体器を構成する紙容器切断部材の背面図である。
【図１１】実施の形態の紙容器解体器を構成する紙容器切断部材の右側面図である。
【図１２】実施の形態の紙容器解体器を構成する紙容器切断部材の左側面図である。
【図１３】実施の形態の紙容器解体器を構成する紙容器切断部材の平面図である。
【図１４】実施の形態の紙容器解体器を構成する紙容器切断部材の底面図である。
【図１５】実施の形態の紙容器解体器を構成する紙容器解体器本体を紙容器にセットする状態を示す図である。
【図１６】実施の形態の紙容器解体器の使用態様の例を示す図（その１）である。
【図１７】実施の形態の紙容器解体器の使用態様を説明するための図である。
【図１８】実施の形態の紙容器解体器の使用態様の例を示す図（その２）である。
【図１９】実施の形態の紙容器解体器の使用態様の例を示す図（その３）である。
【図２０】実施の形態の紙容器解体器を構成する紙容器切断部材の他の例を示す図（その１）である。
【図２１】実施の形態の紙容器解体器を構成する紙容器切断部材の他の例を示す図（その２）である。
【考案を実施するための形態】
【００１３】
以下、図面を参照しながら、本考案を実施するための形態について詳細に説明する。
本考案の実施の形態の紙容器解体器は、紙容器解体器本体及び紙容器切断部材を備え、中空部に内容物を収納する略直方体状の紙容器を切断して平面状に展開処理する。
【００１４】
図１は、実施の形態の紙容器解体器を構成する紙容器解体器本体の斜視図である。図２は、実施の形態の紙容器解体器を構成する紙容器解体器本体の正面図である。図３は、実施の形態の紙容器解体器を構成する紙容器解体器本体の背面図である。図４は、実施の形態の紙容器解体器を構成する紙容器解体器本体の右側面図である。図５は、実施の形態の紙容器解体器を構成する紙容器解体器本体の左側面図である。図６は、実施の形態の紙容器解体器を構成する紙容器解体器本体の平面図である。図７は、実施の形態の紙容器解体器を構成する紙容器解体器本体の底面図である。
【００１５】
紙容器解体器本体３１は、牛乳パック等の紙容器の開口部から紙容器内部に内接して挿入可能な角筒状である。紙容器解体器本体３１は、側面溝部３１３及び底面溝部３１５を備える。
【００１６】
側面溝部３１３は、紙容器解体器本体３１の２つの側面が当接する部分を構成する４辺のうち１辺、例えば、紙容器解体器本体第１側面３１１及び紙容器解体器本体第２側面３１２が当接する辺の稜線部分に形成された溝である。底面溝部３１５は、紙容器解体器本体３１の一方の端部３１４を構成する４辺のうち３辺の稜線部分に連続して形成された溝である。なお、紙容器解体器本体３１は、４枚の板材で角筒状を構成し、展開して１枚の板状となるようにしても良い。
【００１７】
図８は、実施の形態の紙容器解体器を構成する紙容器切断部材の斜視図である。図９は、実施の形態の紙容器解体器を構成する紙容器切断部材の正面図である。図１０は、実施の形態の紙容器解体器を構成する紙容器切断部材の背面図である。図１１は、実施の形態の紙容器解体器を構成する紙容器切断部材の右側面図である。図１２は、実施の形態の紙容器解体器を構成する紙容器切断部材の左側面図である。図１３は、実施の形態の紙容器解体器を構成する紙容器切断部材の平面図である。図１４は、実施の形態の紙容器解体器を構成する紙容器切断部材の底面図である。
【００１８】
紙容器切断部材３２は、外側で略直角（９０度）に当接する紙容器切断部材第１面３２１及び紙容器切断部材第２面３２２を有し、切刃３２３を備える。また、紙容器切断部材３２は、使用者が手で持って動作させ易くするための取っ手３４１を有することが望ましい。
【００１９】
切刃３２３は、紙容器切断部材３２の２面、紙容器切断部材第１面３２１と紙容器切断部材第２面３２２が当接する部分を構成する辺から突出して設置され、当該辺に沿う方向に刃先３３３が形成されている。
【００２０】
図１５は、実施の形態の紙容器解体器を構成する紙容器解体器本体を紙容器にセットする状態を示す図である。
図１５において、紙容器１は、中空部１１に内容物を収納する略直方体状であり、例えば、１０００ｍｌの牛乳パックやジュースパック等の紙パック容器である。紙容器１は、長手方向の一端部に注ぎ口を有し、他端部に底壁を有する。通常、紙容器１を実施の形態の紙容器解体器で切断して展開処理する前には、紙容器１内を水洗いし、開口部１２を開いた状態にする。
【００２１】
そして、図１５中に矢印で示したように、底面溝部３１５を有する端部３１４を紙容器１の開いた開口部１２に挿入し、紙容器解体器本体３１を紙容器１に内接させながら、端部３１４が紙容器１の底壁に到達させることで紙容器解体器本体３１を紙容器１にセットする。
【００２２】
図１６は、実施の形態の紙容器解体器の使用態様の例を示す図（その１）である。図１７は、実施の形態の紙容器解体器の使用態様を説明するための図である。
図１５を用いて説明したように紙容器解体器本体３１が紙容器１にセットされると、図１６に示しように、紙容器解体器本体３１は、紙容器１の開口部１２より僅かに突出した状態となる。そして、紙容器切断部材３２の紙容器切断部材第１面３２１及び紙容器切断部材第２面３２２を、紙容器解体器本体３１の紙容器解体器本体第１側面３１１及び紙容器解体器本体第２側面３１２に当接するように対峙させることにより、図１７に示すように、紙容器解体器本体３１が備える側面溝部３１３と紙容器１の内側との間の空隙に、紙容器切断部材３２が備える切刃３２３が位置する状態となる。
【００２３】
図１８は、実施の形態の紙容器解体器の使用態様の例を示す図（その２）である。
図１６に示した状態から、紙容器切断部材３２を側面溝部３１３に沿った方向にスライドさせることにより、紙容器切断部材３２の紙容器切断部材第１面３２１及び紙容器切断部材第２面３２２と、紙容器解体器本体３１の紙容器解体器本体第１側面３１１及び紙容器解体器本体第２側面３１２との間に挟まれた紙容器１の２つの側面で構成された辺部分を切断する。
【００２４】
図１９は、実施の形態の紙容器解体器の使用態様の例を示す図（その３）である。
紙容器１の２つの側面で構成された辺部分が切断されたら、図１９に示すように、紙容器切断部材３２の紙容器切断部材第１面３２１及び紙容器切断部材第２面３２２を、紙容器１の１つの側面及び底面に当接する。そして、紙容器１を挟んだまま、紙容器切断部材３２を底面溝部３１５に沿った方向にスライドさせることにより、紙容器１の側面と底面で構成される４辺のうち３辺を切断する。
【００２５】
なお、上述した紙容器１の２つの側面で構成された辺部分の切断と、１つの側面と底面で構成された辺部分の切断は、どちらを先に行っても良い。
図２０は、実施の形態の紙容器解体器を構成する紙容器切断部材の他の例を示す図（その１）である。
【００２６】
図２０において、紙容器切断部材３２Ａは、切刃３２３Ａを備える。切刃３２３Ａは、紙容器切断部材３２Ａに脱着可能に設置される。例えば、切刃３２３Ａを備える市販のカッター５を固定ネジ４で紙容器切断部材３２Ａに固定することにより実現可能である。
【００２７】
図２１は、実施の形態の紙容器解体器を構成する紙容器切断部材の他の例を示す図（その２）である。
図２１において、紙容器切断部材３２Ｂは、切刃３２３Ｂを備える。切刃３２３Ｂは、押圧力に対して反発力を有するバネ部材６を介して紙容器切断部材３２に設置される。例えば、押圧部材７を用いて外部からの押圧力を付与することにより、切刃３２３Ｂが、紙容器切断部材第１面３２１Ｂと紙容器切断部材第２面３２２Ｂが略直角に当接する部分を構成する辺から突出する。これにより、不使用時に刃先３３３が露出することを防止できるので安全性がより向上する。
【００２８】
以上、開示の実施の形態とその利点について詳しく説明したが、当業者は、実用新案登録請求の範囲に明確に記載した本考案の範囲から逸脱することなく、様々な変更、追加、省略をすることができる。
【符号の説明】
【００２９】
１        紙容器
１１      中空部
１２      開口部
３１      紙容器解体器本体
３１１    紙容器解体器本体第１側面
３１２    紙容器解体器本体第２側面
３１３    側面溝部
３１４    端部
３１５    底面溝部
３２、３２Ａ、３２Ｂ  紙容器切断部材
３２１、３２１Ｂ  紙容器切断部材第１面
３２２、３２２Ｂ  紙容器切断部材第２面
３２３、３２３Ａ、３２３Ｂ  切刃
３３３    刃先
３４１    取っ手
４        固定ネジ
５        カッター
６        バネ部材
７        押圧部材
【図１】
0003198934.tif 000003
【図２】
0003198934.tif 000004
【図３】
0003198934.tif 000005
【図４】
0003198934.tif 000006
【図５】
0003198934.tif 000007
【図６】
0003198934.tif 000008
【図７】
0003198934.tif 000009
【図８】
0003198934.tif 000010
【図９】
0003198934.tif 000011
【図１０】
0003198934.tif 000012
【図１１】
0003198934.tif 000013
【図１２】
0003198934.tif 000014
【図１３】
0003198934.tif 000015
【図１４】
0003198934.tif 000016
【図１５】
0003198934.tif 000017
【図１６】
0003198934.tif 000018
【図１７】
0003198934.tif 000019
【図１８】
0003198934.tif 000020
【図１９】
0003198934.tif 000021
【図２０】
0003198934.tif 000022
【図２１】
0003198934.tif 000023